(57)【要約】      （修正有）【課題】操作性、力の制御が容易であり、肌への損傷を避けることが可能な肌美容ローラーを提供する。【解決手段】操作把持部１と、操作把持部前端に間隔を置いて配置された二つの回転体２とを含む肌美容ローラーであって、二つの回転体は、それぞれの軸を中心に回転し、回転体の軸は、操作把持部の中心線に対して後傾させることにより、回転体が肌に当接してスクロール状態で操作把持部後端へ移動する際に、肌が押し退けられるようにプレスされる。ユーザーが肌に対して操作把持部の引張操作を実施する時に、回転体は肌が押し退けられるようにプレスし、この過程において、回転体は肌に対する引上げ効果ではなく、ローリングマッサージ効果のみを果たす。【選択図】図１
0003230636.tif 000002
【実用新案登録請求の範囲】
【請求項１】
操作把持部と、前記操作把持部前端に間隔を置いて配置された二つの回転体とを含む肌美容ローラーであって、
前記二つの回転体は、それぞれの軸を中心に回転し、
前記回転体の軸は、前記操作把持部の中心線に対して後傾させることにより、前記回転体が肌に当接してスクロール状態で前記操作把持部後端へ移動する際に、肌が押し退けられるようにプレスされることを特徴とする肌美容ローラー。
【請求項２】
前記回転体の軸が前記操作把持部の中心線の側面に対する投影角度αが、50°≦α＜90°であることを特徴とする請求項1に記載されている肌美容ローラー。
【請求項３】
前記回転体の軸が、前記回転体と前記操作把持部の最遠端及び前記操作把持部の最低点の間の接続線に対する側面投影角度βが、50°≦β≦120°であることを特徴とする請求項２に記載されている肌美容ローラー。
【請求項４】
前記二つの回転体の周辺面の間の最小間隔D1が、1≦D1＜8mmであることを特徴とする請求項１に記載されている肌美容ローラー。
【請求項５】
前記二つの回転体の開口角度θが、20°≦θ≦80°であることを特徴とする請求項１に記載されている肌美容ローラー。
【請求項６】
前記回転体の周辺面が、前記操作把持部の遠端に位置する球面と、前記操作把持部の近端に位置する非球面とを含むことを特徴とする請求項１に記載されている肌美容ローラー。
【請求項７】
前記二つの回転体の非球面の隣接側の接線角度γが、10°≦γ≦80°であることを特徴とする請求項６に記載されている肌美容ローラー。
【請求項８】
γが22°又は26°であることを特徴とする請求項７に記載されている肌美容ローラー。
【請求項９】
αが71.5°、βが81.5°又はαが86.1°、βが77.2°であることを特徴とする請求項３に記載されている肌美容ローラー。
【請求項１０】
前記回転体の周辺面に凸起パターンが設置され、前記凸起パターンが配列分布される複数のパターン単位を含み、前記パターン単位の幅が前記回転体の周辺面の中央部から両端に向かって徐々に減少することを特徴とする請求項１に記載されている肌美容ローラー。
【考案の詳細な説明】
【技術分野】
【０００１】
本考案は美容機器技術分野に関するものであり、特に、スクロールプレスにより肌へのマッサージ効果を果たす肌美容ローラーに関する。
【背景技術】
【０００２】
美容ローラーは近年登場した美容機器であり、主に顔部に用いられ、通常、物理的な方法を使用して、顔や他の部分の皮膚を活性化する効果を果たしている。通常、美容ローラーは、把持部と把持部に設置されているローラーヘッドを含み、使用時には把持部によりローラーヘッドを駆動させ、顔、目の角、下の額、首、腕、お尻、太もも、ふくらはぎなど全身をゆっくりと上下に回転させることでマッサージする。
【０００３】
美容ローラーは、シングルヘッドまたはダブルヘッドのものがある。現在市販のダブルヘッド美容ローラーは、主に二つのローラーヘッドの回転により、肌を引上げる効果を果たしている。例えば、把持部に二つの回転体が設けられ、把持部を動かす際に二つの回転体が肌を巻き上げる引上げ効果を果たすために、二つの回転体の軸が把持部の中心線に対して前方へ傾かなければならない（特許文献１）。しかし、回転体が肌を巻き上げることは、肌の弱い人へ肌の損傷を起こすだけではなく、不快な使用感を感じさせる。そのため、このようなユーザーからは、ダブルヘッド美容ローラーの使用時に、引上げ効果ではなく、ローリングマッサージ効果のみを果たすことが求められている。これら回転体が前傾している美容ローラーを反対方向へ押す過程において、引上げ効果を果たさないが、通常の操作習慣を考慮すると、引張操作性がよく、力の制御も容易であり、ユーザーも使用する際に引張操作をすることに慣れている。以上より、一部のユーザーの需要に応じて、既存の美容ローラーに対する改善が必要である。
【先行技術文献】
【特許文献】
【０００４】
【特許文献１】CN103110504A
【考案の概要】
【考案が解決しようとする課題】
【０００５】
本考案の目的は、上記の課題を解決するための肌美容ローラーを提供することであり、引張操作過程において、肌に対する引上げ効果を出さず、ローリングマッサージ効果のみを果たすことである。
【課題を解決するための手段】
【０００６】
上記の目的を果たすために、本考案は、以下のような肌美容ローラーを提供する：操作把持部と、前記操作把持部前端に間隔を置いて配置された二つの回転体とを含む肌美容ローラーであって、前記二つの回転体は、それぞれの軸を中心に回転し、前記回転体の軸を、前記操作把持部の中心線に対して後傾させることにより、前記回転体が肌に当接してスクロール状態で前記操作把持部後端へ移動する際に、肌が押し退けられるようにプレスされる。
【考案の効果】
【０００７】
従来技術と比べて、本考案の肌美容ローラーは、操作把持部と、前記操作把持部前端に間隔を置いて配置された二つの回転体とを含み、前記回転体の軸は、前記操作把持部の中心線に対して後傾している。これにより、ユーザーが肌に対して操作把持部の引張操作を実施する時に、回転体は肌が押し退けられるようにプレスし、この過程において、回転体は肌に対する引上げ効果ではなく、ローリングマッサージ効果のみを果たす。これにより、ユーザーの需要を満足させる。また、マッサージ効果のみを求めているユーザーは、操作性、力の制御が容易であり、肌への損傷を避けることが可能な肌美容ローラーが得られる。
【０００８】
好ましくは、前記回転体の軸が前記操作把持部の中心線の側面に対する投影角度αが、50°≦α＜90°である。
【０００９】
好ましくは、前記回転体の軸が、前記回転体と前記操作把持部の最遠端及び前記操作把持部の最低点の間の接続線に対する側面投影角度βが、50°≦β≦120°である。
【００１０】
好ましくは、前記二つの回転体の周辺面の間の最小間隔D1が、1≦D1＜8mmである。
【００１１】
好ましくは、前記二つの回転体の開口角度θが、20°≦θ≦80°である。
【００１２】
好ましくは、前記回転体の周辺面が、前記操作把持部の遠端に位置する球面と、前記操作把持部の近端に位置する非球面とを含む。
【００１３】
好ましくは、前記二つの回転体の非球面の隣接側の接線角度γが、10°≦γ≦80°である。
【００１４】
好ましくは、γが22°又は26°である。
【００１５】
好ましくは、αが71.5°、βが81.5°又はαが86.1°、βが77.2°である。
【００１６】
好ましくは、前記回転体の周辺面に凸起パターンが設置され、前記凸起パターンが配列分布される複数のパターン単位を含み、前記パターン単位の幅が前記回転体の周辺面の中央部から両端に向かって徐々に減少する。
【図面の簡単な説明】
【００１７】
【図１】本考案の実施例における肌美容ローラーの立体構造を示す図である。
【図２】図1を正面から見た時の操作把持部の側面図である。
【図３】図1を正面から見た時の二つの回転体の平面図である。
【図４】本考案の一つの実施例における回転体の立体構造を示す図である。
【図５】本考案の他の実施例における回転体の立体構造を示す図である。
【図６】本考案の他の実施例における回転体の立体構造を示す図である。
【考案を実施するための形態】
【００１８】
本考案の技術的内容、構造的特徴、果たす目的および効果を以下の実施形態および図面を併せて詳細に説明する。
【００１９】
図1に示すように、本実施例に開示されている肌美容ローラーは、操作把持部1と操作把持部1前端に間隔を置いて配置された二つの回転体2を含む。操作把持部1前端には二つの互いに分岐する接続部10が設けられており、二つの回転体2のそれぞれが回転軸スリーブ（図示せず）を通じて二つの接続部10に設けられている。これにより、二つの回転体2がそれぞれの軸を中心に回転することが可能になり、本実施例における回転体2の軸が接続部における軸になる。その中、図2に示すように、回転体2の軸Z1は操作把持部1の中心線L0に対して後傾することにより、回転体2が肌に当接してスクロール状態で操作把持部1の後端に向かって移動する際に、肌が押し退けられるようにプレスされる。本実施例において、操作把持部1の中心線L0は、操作把持部1の最厚部分（把持部分）の周辺接線L1、L2の角度二等分線と平行する線である。
【００２０】
ユーザーが上記構造の肌美容ローラーを用い、操作把持部1で肌に対して引張操作を実行する際に、回転体2の軸Z1が操作把持部1の中心線L0に対して後傾しているため、肌が押し退けられるようにプレスされる。この過程において、回転体2はローリングマッサージ効果のみを提供し、肌への引上げ効果は出していないことから、ユーザーの需要を満足させる。また、マッサージ効果のみを求めているユーザーは、操作性、力の制御が容易であり、肌への損傷を避けることが可能になる。
【００２１】
好ましくは、図2に示すように、回転体2の軸Z1が操作把持部1の中心線L0の側面に対する投影角度αが、50°≦α＜90°であることにより、マッサージ性能が良好になる。さらに、回転体2の軸Z1が、回転体2と操作把持部1の最遠端及び操作把持部1の最低点の間の接続線L3に対する側面投影角度βが、50°≦β≦120°であることにより、操作性が良くなり、力の制御が容易になる。αとβの好ましい組み合わせは、αが71.5°、βが81.5°又はαが86.1°、βが77.2°である。
【００２２】
図3に示すように、二つの回転体2が肌に対するマッサージをより均等、平滑にするために、二つの回転体2の周辺面の間の最小間隔D1が、1≦D1＜8mmであり、D1が好ましくは7mmである。好ましくは、二つの回転体2の開口角度θが、20°≦θ≦80°であり、θが好ましくは66.6°又は66.7°である。
【００２３】
図3に示すように、回転体2の周辺面は、操作把持部1の遠端に位置する球面20と、操作把持部1の近端に位置する非球面21とを含む。球面20と非球面21の結合により、回転体2のスクロール過程において、ユーザーは二種類の異なるプレス感を感じ、マッサージ効果の差別化を形成する。
【００２４】
好ましくは、二つの回転体2の非球面21の隣接側の接線角度γが、10°≦γ≦80°であり、γが好ましくは22°又は26°である。
【００２５】
具体的には、本考案に公開されている上述の構造を有する肌美容ローラーにおいて、各構造パラメータの組み合わせは、αが71.5°、βが81.5°、D1が7mm、θが66.7°、γが26°である。
【００２６】
本考案にはもう一つの肌美容ローラーが公開されており、各構造パラメータの組み合わせは、αが86.1°、βが77.2°、D1が7mm、θが66.6°、γが22°である。
【００２７】
また、図4〜図6に示すように、回転体2のプレス強度を効率的に増加させるために、回転体2の周辺面に凸起パターン22を設置する。好ましくは、凸起パターン22が配列分布になっている複数のパターン単位23を含み、パターン単位23の幅が回転体2の周辺面の中央部から両端に向かって徐々に減少し、図4に示すように、E1がE2とE3より大きく、図5に示すように、F1がF2とF3より大きく、図6に示すように、G1がG2とG3より大きい。本実施例におけるパターン単位23は単一形状の曲面であり、図4に示すように、滑らかで徐々に変化するパターンを形成する。図5と図6に示すように、パターン単位23は、凸面、凹面又は縁面、斜面で構成される複合曲面である。パターン単位23が複合曲面の場合、隣接する二つのパターン単位23の縮小係数ηが、0.7≦η≦0.9であり、好ましくは0.85である。すなわち、F2はF1の0.85倍であり、G2はG1の0.85倍である。
【００２８】
以上より、図1〜図6に示すように、本考案には消費者の需要に応じた肌美容ローラーが公開されており、当該美容ローラーは、操作把持部1と操作把持部1前端位置する二つの回転体2を含み、回転体2の軸が操作把持部1の中心線に対して後傾していることにより、肌において操作把持部1を引っ張る時に、二つの回転体2は肌に対してローリングマッサージのみをし、肌に対して引上げ効果を産生したいため、消費者の需要を満足し、ユーザーの使用感を効率的に改善した。
【００２９】
以上は、本考案の好ましい実施例を開示しているだけであり、本考案の請求の範囲を限定することではない。
したがって、本考案の請求の範囲に従って行われた同等の変更は、本考案の範囲内のものである。
【図１】
0003230636.tif 000003
【図２】
0003230636.tif 000004
【図３】
0003230636.tif 000005
【図４】
0003230636.tif 000006
【図５】
0003230636.tif 000007
【図６】
0003230636.tif 000008